(57)【要約】    【課題】  カメラ本体の小型化を損なうことなく、サブユニットの調整値をカメラ本体側に渡すことができる鏡筒を提供することにある。    【解決手段】  鏡筒２は、少なくとも１つ以上のサブユニットを有し、サブユニットには、無線通信により、情報の読み出しおよび書き込みが可能な無線ＩＣタグ４が設けられている。無線ＩＣタグ４には、無線通信により、上記サブユニットの調整により得られる調整値が書き込まれる。【選択図】      図１
2006064985.tif 000002
【特許請求の範囲】
【請求項１】
少なくとも１つのサブユニットを有する鏡筒であって、
無線通信により、情報の読み出しおよび書き込みが可能な無線タグを備え、
前記無線タグには、無線通信により、前記サブユニットの調整により得られる調整値が書き込まれることを特徴とする鏡筒。
【請求項２】
少なくとも１つのサブユニットを有する鏡筒であって、
前記サブユニットの調整により得られる調整値に対応付け可能な識別情報が無線通信により読み出し可能に予め書き込まれている無線タグを備え、
前記サブユニットの調整値は、外部装置に、無線通信により前記無線タグから読み出された前記識別情報と対応付けて保持されることを特徴とする鏡筒。
【請求項３】
前記無線タグは、前記サブユニットに設けられていることを特徴とする請求項１または２記載の鏡筒。
【請求項４】
前記サブユニットは、可動部材と、該可動部材を駆動するアクチュエータとを有し、
前記無線タグは、前記サブユニットの前記アクチュエータと光軸を中心として対向する位置に配置されていることを特徴とする請求項３記載の鏡筒。
【請求項５】
前記サブユニットをカメラ本体側の制御回路と接続するためのフレキシブルプリント基板とを有し、
前記無線タグは、前記フレキシブルプリント基板に設けられていることを特徴とする請求項１または２記載の鏡筒。
【請求項６】
光学レンズと、前記光学レンズを撮影光軸方向に移動可能に支持するガイドバーと、前記光学レンズの前記ガイドバー周りの回転を規制する振れ止めバーとを有し、
前記無線タグは、前記ガイドバーと前記振れ止めバーとのそれぞれから離れた位置に配置されていることを特徴とする請求項１または２記載の鏡筒。
【請求項７】
沈胴位置から外部へ向けて繰り出し可能な駆動部材を有し、
前記無線タグは、前記駆動部材に取り付けられていることを特徴とする請求項１または２記載の鏡筒。
【請求項８】
駆動部材を駆動することによってズーム機能を実現するズームユニットを有し、
前記無線タグは、前記駆動部材に取り付けられていることを特徴とする請求項１または２記載の鏡筒。
【請求項９】
前記無線タグは、前記駆動部材における被写体側にある部分に取り付けられていることを特徴とする請求項７または８記載の鏡筒。
【請求項１０】
絞りを有し、
前記無線タグは、前記駆動部材における前記絞りより被写体側にある部分に取り付けられていることを特徴とする請求項７または８記載の鏡筒。
【請求項１１】
同軸上に重なり合わせて配置されている複数の筒体を有し、前記複数の筒体のうち、最外側に位置する筒体が前記駆動部材を構成することを特徴とする請求項７または８記載の鏡筒。
【請求項１２】
光学系を有し、
前記無線タグは、前記光学系の略焦点面に配置されていることを特徴とする請求項７または８記載の鏡筒。
【請求項１３】
前記無線タグは、情報が読み出し可能に書き込まれるメモリと、前記メモリへの情報の書き込みおよび読み出しを行う無線通信手段とを有し、前記無線通信手段は、外部から無線通信によって伝送された情報を受信して前記メモリに書き込み、前記メモリの情報を読み出して無線通信によって外部へ伝送することを特徴とする請求項１、または３ないし１２のいずれか１つに記載の鏡筒。
【請求項１４】
請求項１ないし１３のいずれか１つ記載の鏡筒を備えることを特徴とするカメラ。
【請求項１５】
鏡筒を組み立てるための鏡筒組立方法であって、
無線通信により情報の読み出しおよび書き込みが可能な無線タグを前記鏡筒の所定部位に取り付ける工程と、
前記鏡筒に対する調整値を求める工程と、
前記求められた前記鏡筒に対する調整値を、無線通信により前記無線タグに書き込む工程と
を有することを特徴とする鏡筒組立方法。
【請求項１６】
鏡筒を組み立てるための鏡筒組立方法であって、
識別情報が無線通信により読み出し可能に予め書き込まれている無線タグを前記鏡筒の所定部位に取り付ける工程と、
前記鏡筒に対する調整値を求める工程と、
無線通信により前記無線タグから前記識別情報を読み出し、前記求められた前記鏡筒に対する調整値を前記読み出された識別情報と対応付けて外部装置に保持する工程と
を有することを特徴とする鏡筒組立方法。
【請求項１７】
記憶手段を有するカメラ本体と、鏡筒とを備えるカメラを組み立てるためのカメラ組立方法であって、
無線通信により情報の読み出しおよび書き込みが可能な無線タグを前記鏡筒の所定部位に取り付ける工程と、
前記鏡筒に対する調整値を求める工程と、
前記求められた前記鏡筒に対する調整値を、無線通信により前記無線タグに書き込む工程と、
前記鏡筒が前記カメラ本体に組み込まれた後に、前記無線タグに書き込まれた調整値を無線通信により読み出し、該読み出された調整値を前記カメラ本体の前記記憶手段に書き込む工程と
を有することを特徴とするカメラ組立方法。
【請求項１８】
記憶手段を有するカメラ本体と、鏡筒とを備えるカメラを組み立てるためのカメラ組立方法であって、
識別情報が無線通信により読み出し可能に予め書き込まれている無線タグを前記鏡筒の所定部位に取り付ける工程と、
前記鏡筒に対する調整値を求める工程と、
無線通信により前記無線タグから前記識別情報を読み出し、前記求められた前記鏡筒に対する調整値を前記読み出された識別情報と対応付けて外部装置に保持する工程と、
前記鏡筒が前記カメラ本体に組み込まれた後に、前記外部装置から前記識別情報と対応付けて保持されている調整値を読み出し、該読み出された調整値を前記カメラ本体の前記記憶手段に書き込む工程と
を有することを特徴とするカメラ組立方法。
【発明の詳細な説明】
【技術分野】
【０００１】
本発明は、無線タグを備える鏡筒、それを備えるカメラ、鏡筒組立方法およびカメラ組立方法に関する。
【背景技術】
【０００２】
一般に、カメラに取り付けられる鏡筒には、レンズやレンズを保持するメカニカルな部品、それらを駆動するアクチュエータ、各種センサなどが組み込まれている。上記部品、アクチュエータ、センサなどには製造誤差があるので、このような鏡筒に対しては、鏡筒全体またはカメラ全体で所望の機能を満足するように各種の調整が行われている。
【０００３】
また、近年、カメラに搭載される鏡筒は、多機能化し、ズーム機能、フォーカス機能、シャッタ機能、撮像に関する機能の他に、絞り、防振、外測ＡＦなど様々な機能が付加され、それらの機能に対する調整がさらに必要である。この調整によって、所望の機能を満足させるための個々の鏡筒またはユニットに対して最適な調整値（駆動パラメータ）が求められて、カメラ本体のフラッシュＲＯＭなどに記録される。この記録された調整値を撮影時の制御に用いることによって、適切な撮影動作が可能となる。
【０００４】
上記調整値は、鏡筒毎にその部品精度などによって決定されるので、鏡筒固有の情報である。よって、鏡筒に対して調整値を格納するための格納手段を設け、鏡筒のユニット化を図ることが望ましい。このような構成の一例として、鏡筒にフラッシュＲＯＭなどの比較的容量が大きい格納手段が設けられ、この格納手段と、この格納手段の情報を読み出すためのカメラ本体側の回路とが有線で接続されるものがある（特許文献１を参照）。
【０００５】
これに対し、デジタルカメラにおいては、その本体の小型化を図るという観点から、上記構成を採用することは難しい。例えば、デジタルカメラにおいては、電気回路規模が大きいため、メイン基板の大きさがカメラの本体サイズに大きな影響を与えることが多い。よって、鏡筒に格納手段を設けた場合、この格納手段との接続のためのコネクタおよびその取り付けスペースをメイン基板に設ける必要があるので、メイン基板の大きさが増すことになり、これがデジタルカメラ本体の小型化を阻止することになる。
【０００６】
このように、デジタルカメラの鏡筒においては、調整値を格納する格納手段が設けられておらず、鏡筒またはそれに含まれるユニットのみで可能な最低限の調整のみが鏡筒またはユニットに対して行われる。そして、その調整値がフレキシブル基板の空きスペースにペンで書き込まれる。次いで、カメラ本体の組立工程において、フレキシブル基板に書かれた調整値が作業者により読み取られ、メイン基板に取り付けられたフラッシュＲＯＭに書き込まれる。
【０００７】
また、鏡筒単体で行うことができない調整は、例えば本体に組み込まれた後に行われ、それにより得られた調整値は、非接触か公知の有線通信によってメイン基板のフラッシュＲＯＭに直接書き込まれる（特許文献２を参照）。
【特許文献１】特開２００２−０４０５３３号公報
【特許文献２】特開２００１−３３７３８０号公報
【発明の開示】
【発明が解決しようとする課題】
【０００８】
このように、従来例においては、鏡筒の良、不良を、鏡筒が本体に組み込まれた状態で調整されるまでは判別することができない、本体での調整に時間が余分に掛かる、鏡筒の仮調整と本調整の結果が食い違うなど、不都合な点が多い。
【０００９】
本発明の目的は、カメラ本体の小型化を損なうことなく、サブユニットの調整値をカメラ本体側に渡すことができる鏡筒、カメラ、鏡筒組立方法およびカメラ組立方法を提供することにある。
【課題を解決するための手段】
【００１０】
本発明は、上記目的を達成するため、少なくとも１つのサブユニットを有する鏡筒であって、無線通信により、情報の読み出しおよび書き込みが可能な無線タグを備え、前記無線タグには、無線通信により、前記サブユニットの調整により得られる調整値が書き込まれることを特徴とする鏡筒を提供する。
【００１１】
本発明は、上記目的を達成するため、少なくとも１つのサブユニットを有する鏡筒であって、前記サブユニットの調整により得られる調整値に対応付け可能な識別情報が無線通信により読み出し可能に予め書き込まれている無線タグを備え、前記サブユニットの調整値は、外部装置に、無線通信により前記無線タグから読み出された前記識別情報と対応付けて保持されることを特徴とする鏡筒を提供する。
【００１２】
本発明は、上記目的を達成するため、上記鏡筒を備えることを特徴とするカメラを提供する。
【００１３】
本発明は、上記目的を達成するため、鏡筒を組み立てるための鏡筒組立方法であって、無線通信により情報の読み出しおよび書き込みが可能な無線タグを前記鏡筒の所定部位に取り付ける工程と、前記鏡筒に対する調整値を求める工程と、前記求められた前記鏡筒に対する調整値を、無線通信により前記無線タグに書き込む工程とを有することを特徴とする鏡筒組立方法を提供する。
【００１４】
本発明は、上記目的を達成するため、鏡筒を組み立てるための鏡筒組立方法であって、識別情報が無線通信により読み出し可能に予め書き込まれている無線タグを前記鏡筒の所定部位に取り付ける工程と、前記鏡筒に対する調整値を求める工程と、無線通信により前記無線タグから前記識別情報を読み出し、前記求められた前記鏡筒に対する調整値を前記読み出された識別情報と対応付けて外部装置に保持する工程とを有することを特徴とする鏡筒組立方法を提供する。
【００１５】
本発明は、上記目的を達成するため、記憶手段を有するカメラ本体と、鏡筒とを備えるカメラを組み立てるためのカメラ組立方法であって、無線通信により情報の読み出しおよび書き込みが可能な無線タグを前記鏡筒の所定部位に取り付ける工程と、前記鏡筒に対する調整値を求める工程と、前記求められた前記鏡筒に対する調整値を、無線通信により前記無線タグに書き込む工程と、前記鏡筒が前記カメラ本体に組み込まれた後に、前記無線タグに書き込まれた調整値を無線通信により読み出し、該読み出された調整値を前記カメラ本体の前記記憶手段に書き込む工程とを有することを特徴とするカメラ組立方法を提供する。
【００１６】
本発明は、上記目的を達成するため、記憶手段を有するカメラ本体と、鏡筒とを備えるカメラを組み立てるためのカメラ組立方法であって、識別情報が無線通信により読み出し可能に予め書き込まれている無線タグを前記鏡筒の所定部位に取り付ける工程と、前記鏡筒に対する調整値を求める工程と、無線通信により前記無線タグから前記識別情報を読み出し、前記求められた前記鏡筒に対する調整値を前記読み出された識別情報と対応付けて外部装置に保持する工程と、前記鏡筒が前記カメラ本体に組み込まれた後に、前記外部装置から前記識別情報と対応付けて保持されている調整値を読み出し、該読み出された調整値を前記カメラ本体の前記記憶手段に書き込む工程とを有することを特徴とするカメラ組立方法を提供する。
【発明の効果】
【００１７】
本発明によれば、カメラ本体の小型化を損なうことなく、サブユニットの調整値をカメラ本体側に渡すことができる。
【発明を実施するための最良の形態】
【００１８】
以下、本発明の実施の形態について図面を参照しながら説明する。
【００１９】
（第１の実施の形態）
図１は本発明の第１の実施の形態に係る鏡筒がカメラ本体に組み込まれた状態を示すブロック図、図２は図１の鏡筒が組み込まれたカメラ本体の縦断面図である。
【００２０】
デジタルカメラは、図１に示すように、カメラ本体１と、鏡筒２とを備える。カメラ本体１には、メイン基板３が内蔵され、メイン基板３には、画像処理チップ７と、カメラ全体の制御を行うマイクロコンピュータ（以下、マイコンという）２１とが実装されている。鏡筒２は、少なくとも１つ以上のサブユニットに設けられた無線ＩＣタグ４と、ＣＣＤ５と、ＣＤＳ／ＡＤ６とを有する。
【００２１】
鏡筒２には、図２に示すように、撮影レンズ１０と、防振レンズ１１を内蔵する防振ユニット１２と、絞りシャッタユニット１３と、ズームユニット１４と、フォーカスレンズ１５、それを駆動するフォーカス駆動機構１６ａおよび無線ＩＣタグ４を有するフォーカスユニット１６と、各駆動要素などをカメラ本体１のメイン基板３と電気的に接続するための鏡筒フレキシブル基板１７と、外測ＡＦユニット１９とが組み込まれている。無線ＩＣタグ４は、フォーカス駆動機構１６ａに対して間隔を置いて略対向する位置に配置される。これにより、無線ＩＣタグ４と、調整時に用いられる無線ＩＣタグ通信装置９との間での無線通信の影響が受け難くなる。また、ＣＣＤ５は、ＣＣＤリジッドフレキシブル基板１８を介して、カメラ本体１のメイン基板３と電気的に接続される。ＣＣＤリジッドフレキシブル基板１８には、ＣＤＳ／ＡＤ６（図１に示す）が実装されている。
【００２２】
次に、本実施の形態のデジタルカメラにおいて鏡筒２の調整について図３〜図５を参照しながら説明する。図３は図１の鏡筒２およびカメラ本体１の調整および組立の手順を示すフローチャート、図４は図１の鏡筒２におけるフォーカスユニット１６に対する調整を行う際のブロック図、図５は図１の鏡筒２におけるサブユニットの無線ＩＣタグへの調整値の記録手順を示すフローチャートである。
【００２３】
本実施の形態のデジタルカメラにおいては、図１に示すように、まず鏡筒２単体でそのサブユニットに対する調整が行われ、その調整値はサブユニットに設けられた無線ＩＣタグ４に書き込まれる。そして、無線ＩＣタグ４に書き込まれた調整は、無線ＩＣタグ通信装置９により読み出され、読み出された調整値は、工具８を介してマイコン２１に書き込まれる。
【００２４】
鏡筒２のサブユニットの組立においては、図３に示すように、まず鏡筒２を構成するサブユニットの組立が行われる（ステップＳ１）。ここで、フォーカスユニット１６が組み立てられる場合、図４に示すように、まず、フォーカスユニット１６にフォーカス駆動機構１６ａ、フォーカスレンズ１５および無線ＩＣタグ４がそれぞれ取り付けられるとともに、フォーカス駆動機構１６ａには、鏡筒フレキシブル基板１７が接続される。そして、鏡筒フレキシブル基板１７には、フォーカス調整工具２２に接続され、フォーカス調整工具２２には、無線ＩＣタグ装置９が接続される。フォーカス調整工具２２は、メイン基板３と同様に、フォーカス駆動機構１６ａにフォーカス駆動信号を供給する機能を有し、このフォーカス駆動信号により、フォーカスレンズ１５を駆動することが可能になる。無線ＩＣタグ４は、上述したように、フォーカス駆動機構１６ａに対して間隔を置いて略対向する位置に配置されているので、無線ＩＣタグ４と無線ＩＣタグ通信装置９との間での無線通信は、ノイズなどの影響を受け難くなる。
【００２５】
次に、サブユニット調整が行われる（ステップＳ２）。例えばフォーカスユニット１６の調整においては、フォーカス調整工具２２からフォーカス駆動機構１６ａに通電が行われ、フォーカスレンズ１５をメカニカル端まで移動させた後、逆方向にフォーカスレンズ１５を駆動してレンズ位置検出手段（図示せず）でレンズリセット位置を検出するまでの移動パルス数が求められる。
【００２６】
次に、サブユニット調整値の記録が行われる（ステップＳ３）。例えばフォーカスユニット１６の調整値の記録においては、図５に示すように、まず無線ＩＣタグ通信装置９から無線通信のアクセス要求信号が送出され、無線ＩＣタグ通信装置９と無線ＩＣタグ４との間で無線通信が行われる（ステップＳ３１）。続いて、フォーカス調整工具２２によって上記求められた移動パルス数が、調整値として無線ＩＣタグ通信装置９から無線によって無線ＩＣタグ４に送信される（ステップＳ３２）。そして、無線ＩＣタグ４は上記調整値を受信すると、受信した調整値を内蔵メモリに書き込む（ステップＳ３３）。この調整値が正常に書き込まれると、調整値の記録が終了する。
【００２７】
フォーカスユニット１６と同様に、防振ユニット１２、絞りシャッタユニット１３、ズームユニット１４、外測ＡＦユニット１９などの他のサブユニットが組み立てられ、必要に応じて各サブユニットに対してその調整が行われる。そして、各サブユニットに対する調整によって得られた調整値は、各サブユニットにそれぞれ設けられた無線ＩＣタグに書き込まれる。また、サブユニット毎に無線ＩＣタグを設けずに、例えばフォーカスユニット１６のみに無線ＩＣタグ４を設け、この無線ＩＣタグ４に他のサブユニットの調整値を書き込むようにしてもよい。
【００２８】
次に、組み立てられた各サブユニットがレンズ１０などと組み合わせられ、鏡筒２の組立が行われる（ステップＳ４）。ここでは、鏡筒２に対して、レンズ１０、防振ユニット１２、絞りシャッタユニット１３、ズームユニット１４、フォーカスユニット１６、外測ＡＦユニット１９が取り付けられる。
【００２９】
次に、取り付けられた各ユニット間は、鏡筒フレキシブル基板１７により接続される。鏡筒フレキシブル基板１７を対応する調整工具と電気的に接続することによって対応するユニットの駆動を行うことが可能となり、鏡筒２全体の調整が行われる（ステップＳ５）。例えば、各ユニットが組み込まれた状態で、ズームユニット１４を駆動することによって、ズーム駆動調整が行われることになる。このズーム駆動調整は、具体的には、そのアクチュエータの駆動パラメータを測定することであり、駆動パラメータは、アクチュエータの種類に応じて異なる。ＤＣモータの場合、その駆動パラメータは駆動電圧調整値であり、ＵＳＭ（超音波モータ）の場合、その駆動パラメータは駆動周波数調整値である。さらに、ズームメカ端調整（ズームレンズをメカニカル端まで移動させることによる調整）など、その他駆動に必要な調整が鏡筒構成に応じて行われる。
【００３０】
このような調整で得られた調整値は、サブユニット調整と同様に、調整工具から無線ＩＣタグ通信装置に伝送され、無線ＩＣタグ通信装置は、上記調整値を対応するサブユニットの無線ＩＣタグに無線で送信する（ステップＳ６）。
【００３１】
また、ＣＤＳ／ＡＤ６が実装されたＣＣＤリジッドフレキシブル基板１８にＣＣＤ５を取り付けることによってＣＣＤユニットが構成され、このＣＣＤユニットは鏡筒２に取り付けられる。
【００３２】
ここで、上記ＣＣＤユニットと接続された鏡筒フレキシブル基板１７を調整工具に取り付けることによって鏡筒２の駆動と撮影とが可能となり、その他の鏡筒調整が行われることになる（ステップＳ５）。例えば、鏡筒２全体として画角調整、テレビＡＦ調整、および、外測ＡＦ１９の距離調整、外測ＡＦ１９の合致調整が行われる。さらに、ＣＣＤのオプティカルブラック、感度、飽和レベル、ホワイトバランス、色差ゲインなどの撮影関連の調整が行われる。
【００３３】
また、他のユニット、例えば防振ユニット１２に対しては、駆動電圧調整値、ＸＹのクロストーク特性値、レンズメカニカル端位置調整、センサ特性調整などがある。また、絞りシャッタユニット１３に対しては、絞りの駆動量調整、シャッタのタイミング調整などが行われる。
【００３４】
このような調整で得られた調整値は、同様に、無線により無線ＩＣタグ４に伝送され、無線ＩＣタグに書き込まれる（ステップＳ６）。
【００３５】
このようにして調整された鏡筒２は、カメラ本体１に組み込まれる（ステップＳ７）。そして、鏡筒２とメイン基板３が図１に示すように組み合わされた時点で、鏡筒２のサブユニットの無線ＩＣタグ４に保持されている調整値が無線ＩＣタグ通信装置９を介して工具８に読み出され（ステップＳ８）、読み出された調整値は、ＵＳＢなどの有線または無線を介してカメラ本体１のメイン基板３に実装されたマイコン２１の記録領域に書き込まれる（ステップＳ９）。
【００３６】
次いで、工具８を用いて、カメラ本体１における調整が行われ（ステップＳ１０）、調整により得られた調整値は、ＵＳＢなどの有線または無線を介してメイン基板３に実装されたマイコン２１の記録領域に書き込まれる（ステップＳ１１）。
【００３７】
最後に外装などが取り付けられ、これによりカメラの組立が終了する。
【００３８】
このように、本実施の形態によれば、無線ＩＣタグ４に、無線通信により、上記サブユニットの調整により得られる調整値を書き込むことによって、カメラ本体１の小型化を損なうことなく、サブユニットの調整値をカメラ本体１側に渡すことができる。
【００３９】
（第２の実施の形態）
次に、本発明の第２の実施の形態について図６を参照しながら説明する。図６は本発明の第２の実施の形態に係る鏡筒がカメラ本体に組み込まれた状態を示す縦断面図である。
【００４０】
本実施の形態においては、上記第１の実施の形態に対し、無線ＩＣタグ４の配置位置が異なる。具体的には、図６に示すように、鏡筒２には、それを構成するサブユニットのひとつであるフォーカスフレキシブルプリント基板１６ｂが組み込まれ、フォーカスフレキシブルプリント基板１６ｂは、鏡筒フレキシブルプリント基板１７に接続するために鏡筒の遮光部材の外側に引き出されるコネクタ部１６ｃを有する。
【００４１】
一般に、ズームや沈胴で被写体側に伸縮する鏡筒においては、組立性とカメラの小型化との関係から鏡筒を構成するサブユニットのフレキシブルプリント基板のコネクタ部が、焦点面近傍に引き出される。そこで、本実施の形態においては、無線ＩＣタグ４が焦点面近傍に引き出されたコネクタ部１６ｃに取り付けられる。これにより、無線ＩＣタグ４を、フォーカスユニット１６と一体性を維持しながら送受信への悪影響が少ない鏡筒遮光部の外側またはその近傍に配置することができ、無線通信性能を向上させることができる。
【００４２】
（第３の実施の形態）
次に、本発明の第３の実施の形態について図７を参照しながら説明する。図７は本発明の第３の実施の形態に係る鏡筒における無線ＩＣタグを有するフォーカスユニットの保持構造を示す斜視図である。
【００４３】
本実施の形態においては、上記第１の実施の形態に対し、フォーカスユニット１６の一部構成が異なる。具体的には、図７に示すように、フォーカスユニット１６は、フォーカスレンズ１５を保持するレンズホルダ１６ｄを有し、レンズホルダ１６ｄは、スリーブ部１６ｅおよび触れ止め溝１６ｇを有し、スリーブ部１６ｅは、ガイドバー１６ｆに嵌合する。ガイドバー１６ｆにより、レンズホルダ１６ｄは、フォーカスレンズ１５の光軸方向に直進駆動可能に支持される。触れ止め溝１６ｇは、振れ止めバー１６ｈに嵌合し、これにより、レンズホルダ１６ｄがフォーカスレンズ１５の光軸周りに回転することが阻止される。フォーカスユニット１６は、ガイドバー１６ｆと触れ止めバー１６ｈに支持され、フォーカス駆動機構１６ａからの推力を受けてフォーカスレンズ１５の光軸方向に移動する。
【００４４】
ガイドバー１６ｆおよび振れ止めバー１６ｈは、直進精度と強度の観点から金属で製作されることが多く、このフォーカスユニット１６のようにバーで支持されるサブユニットに無線ＩＣタグを配置する場合、金属のバーが無線ＩＣタグとの通信の阻害要因となり易い。そこで、本実施の形態においては、図７に示すように、無線ＩＣタグ４を金属バーから角度方向に最も離れた位置に配置することによって、この影響を最小限に抑え、確実な無線通信を行うことが可能である。
【００４５】
（第４の実施の形態）
次に、本発明の第４の実施の形態について図８および図９を参照しながら説明する。図８は本発明の第４の実施の形態に係る鏡筒が組み込まれたカメラ本体の縦断面図、図９は図８の鏡筒が繰り出された状態のカメラ本体の縦断面図である。
【００４６】
本実施の形態においては、上記第１の実施の形態に対し、鏡筒２の構成が異なるとともに、無線ＩＣタグ４の配置位置が異なる。具体的には、図８に示すように、鏡筒２は、光軸方向へ移動可能な第１群鏡筒２ａと、光軸方向へ移動可能な第２群鏡筒２ｂと、第２群鏡筒２ｂと一体に光軸方向へ移動する絞りユニット２ｃと、第１群鏡筒２ａと第２群鏡筒２ｂとを光軸方向へ移動させるためのズーム駆動機構（図示せず）とを有する。ここで、第１群鏡筒２ａと第２群鏡筒２ｂとを光軸方向へカメラ本体１側に向けて移動すれば、鏡筒２は、図８に示すような沈胴状態（収納状態）になる。また、使用時には、鏡筒２はカメラ本体１から繰り出され、図９に示すような状態になる。
【００４７】
このような鏡筒２において、第１群鏡筒２ａに無線ＩＣタグ４が取り付けられている。無線ＩＣタグ４は、図８に示す鏡筒２の収納状態では、カメラ本体１の内部に位置しかつ鏡筒２を構成する複数の筒体により取り囲まれるため、無線通信が阻害され易い。しかしながら、図９に示す鏡筒２の使用状態では、第１群鏡筒２ａが光軸方向へ繰り出されカメラ本体１から突出するので、無線ＩＣタグ４は、周囲に遮蔽物がない良好な通信環境を得ることができる。また、第２群鏡筒２ｂに取り付けられた絞りユニット２ｃより被写体側に無線ＩＣタグ４を配置することによって、通常大きな金属板で構成される絞りユニット２ｃに起因する無線通信への悪影響を受け難くすることができる。
【００４８】
（第５の実施の形態）
次に、本発明の第５の実施の形態について図１０および図１１を参照しながら説明する。図１０は本発明の第５の実施の形態に係る鏡筒およびカメラ本体の調整および組立の手順を示すフローチャート、図１１は本発明の第５の実施の形態に係る鏡筒におけるサブユニットの無線ＩＣタグへの調整値の記録手順を示すフローチャートである。
【００４９】
本実施の形態においては、無線ＩＣタグ４として、記録機能を持たず、個体識別番号の送信機能のみを有するものが使用されるので、上記第１の実施の形態に対し、調整および組立の手順における調整値の扱いが異なる。
【００５０】
具体的には、図１０に示すように、上記第１の実施の形態と同様に、サブユニット組立（ステップＳ１０１）、サブユニット調整（ステップＳ１０２）が行われる。そして、サブユニット個体識別番号読み出し、および個体識別番号と調整値の記録が行われる（ステップＳ１０３）。ここでは、詳細には、図１１に示すように、サブユニット調整工具から無線ＩＣタグ通信装置を介してサブユニットの無線ＩＣタグに対して、個体識別番号の送信が要求され（ステップＳ１０３１）、この要求に応答してサブユニットの無線ＩＣタグから個体識別番号が送信される（ステップＳ１０３２）。サブユニット調整工具は、無線ＩＣタグからの個体識別番号と、調整で得られたサブユニット調整値とを、調整サーバ（図示せず）に伝送し、調整サーバは、上記個体識別番号とサブユニット調整値とを記録する（ステップＳ１０３３）。
【００５１】
次いで、上記第１の実施の形態と同様に、鏡筒２の組立（ステップＳ１０４）と鏡筒２の調整（ステップＳ１０５）が行われる。そして、サブユニット調整と同様に、工具は、無線ＩＣタグ通信装置を介して無線ＩＣタグに対して、鏡筒の個体識別番号の送信を要求し、この要求に応答して返された個体識別番号と調整で得られた鏡筒調整値とを上記調整サーバに伝送する。上記調整サーバは、上記個体識別番号と上記鏡筒調整値とを対応付けて記録する（ステップＳ１０６）。
【００５２】
次いで、本体組立が行われ（ステップＳ１０７）、鏡筒２とメイン基板３とが図１に示すように組み合わされた時点で、工具は、無線ＩＣタグから個体識別番号を読み出し、読み出された個体識別番号に対応する調整サーバに記録された調整値を検索する（ステップＳ１０８）。そして、工具は、ＵＳＢや無線を介してカメラ本体１のメイン基板３のマイコン２１に調整値を伝送し、マイコン２１は、伝送された調整値を内部メモリに書き込む（ステップＳ１０９）。
【００５３】
次いで、上記第１の実施の形態と同様に、カメラ本体１の調整が行われ（ステップＳ１１０）、この調整で得られた調整値は、ＵＳＢや無線を介してメイン基板３のマイコン２１に伝送され、マイコン２１は、伝送された調整値を内部メモリに書き込む（ステップＳ１１１）。
【００５４】
このように、本実施の形態によれば、無線ＩＣタグ４から個体識別情報が読み出され、上記サブユニットの調整により得られる調整値が上記個体識別情報と対応付けて調整サーバに保持するので、カメラ本体１の小型化を損なうことなく、サブユニットの調整値をカメラ本体１側に渡すことができる。
【００５５】
なお、本発明の原理は、デジタルカメラの鏡筒に適用される他に、携帯電話などの撮影機能に関する調整を必要とする機器においても適用可能である。
【図面の簡単な説明】
【００５６】
【図１】本発明の第１の実施の形態に係る鏡筒がカメラ本体に組み込まれた状態を示すブロック図である。
【図２】図１の鏡筒が組み込まれたカメラ本体の縦断面図である。
【図３】図１の鏡筒２およびカメラ本体１の調整および組立の手順を示すフローチャートである。
【図４】図１の鏡筒２におけるフォーカスユニット１６に対する調整を行う際のブロック図である。
【図５】図１の鏡筒２におけるサブユニットの無線ＩＣタグへの調整値の記録手順を示すフローチャートである。
【図６】本発明の第２の実施の形態に係る鏡筒がカメラ本体に組み込まれた状態を示す縦断面図である。
【図７】本発明の第３の実施の形態に係る鏡筒における無線ＩＣタグを有するフォーカスユニットの保持構造を示す斜視図である。
【図８】本発明の第４の実施の形態に係る鏡筒が組み込まれたカメラ本体の縦断面図である。
【図９】図８の鏡筒が繰り出された状態のカメラ本体の縦断面図である。
【図１０】本発明の第５の実施の形態に係る鏡筒およびカメラ本体の調整および組立の手順を示すフローチャートである。
【図１１】本発明の第５の実施の形態に係る鏡筒におけるサブユニットの無線ＩＣタグへの調整値の記録手順を示すフローチャートである。
【符号の説明】
【００５７】
１  カメラ本体
２  鏡筒
３  メイン基板
４  無線ＩＣタグ
５  ＣＣＤ
６  ＣＤＳ／ＡＤ
７  画像処理チップ
８  工具
９  無線ＩＣタグ通信装置
１０  撮影レンズ
１１  防振レンズ
１２  防振ユニット
１３  絞りシャッタユニット
１４  ズームユニット
１５  フォーカスレンズ
１６  フォーカスユニット
１９  外測ＡＦユニット
２１  マイコン
２２  フォーカス調整工具
【図１】
2006064985.tif 000003
【図２】
2006064985.tif 000004
【図３】
2006064985.tif 000005
【図４】
2006064985.tif 000006
【図５】
2006064985.tif 000007
【図６】
2006064985.tif 000008
【図７】
2006064985.tif 000009
【図８】
2006064985.tif 000010
【図９】
2006064985.tif 000011
【図１０】
2006064985.tif 000012
【図１１】
2006064985.tif 000013